(57)【要約】【課題】  小型携帯機器に無線機能が搭載されると、内部温度が上昇し、処理エラーの原因となる。【解決手段】  撮像装置が記録モードであり、かつ温度センサーにより検出された値が第１の閾値以上である場合、無線通信装置による通信を停止するよう無線通信装置を制御するとともに、記録モードの間、無線の停止状態を維持するよう無線通信装置を制御する【選択図】  図１
2011114390.tif 000002
【特許請求の範囲】
【請求項１】
被写体を撮像し、得られた画像データを記録する記録モードと、画像データを再生する再生モードを有する撮像装置であって、
無線通信装置と接続する接続手段と、
温度を検出する温度センサー手段と、
前記撮像装置が前記記録モードであり、かつ前記温度センサーにより検出された値が第１の閾値以上である場合、前記無線通信装置による通信を停止するよう前記無線通信装置を制御するとともに、前記記録モードの間、無線の停止状態を維持するよう前記無線通信装置を制御する制御手段とを有する撮像装置。
【請求項２】
前記撮像装置が前記再生モードであり、かつ前記温度センサーにより検出された値が第１の閾値よりも小さい第２の閾値以上である場合、前記制御手段は前記無線通信装置による通信を停止するよう前記無線通信装置を制御することを特徴とする請求項１項に記載の撮像装置。
【請求項３】
前記制御手段により前記無線通信装置による通信を停止させた後、前記温度センサーにより検出された値が前記第２の閾値よりも小さい第３の閾値よりも小さくなった場合、前記制御手段は前記無線通信装置による通信を再開するよう前記無線通信装置を制御することを特徴とする請求項２項に記載の撮像装置。
【請求項４】
被写体を撮像し、得られた画像データを記録する記録モードと、画像データを再生する再生モードを有する撮像装置の制御方法であって、
無線通信装置と接続する接続工程と、
温度を検出する検出工程と、
前記撮像装置が前記記録モードであり、かつ前記検出工程により検出された値が第１の閾値以上である場合、前記無線通信装置による通信を停止するよう前記無線通信装置を制御するとともに、前記記録モードの間、無線の停止状態を維持するよう前記無線通信装置を制御する制御工程とを有する制御方法。
【発明の詳細な説明】
【技術分野】
【０００１】
本発明は、デジタルカメラなどの撮像装置から外部装置へのデータ送信を行う技術に関する。
【背景技術】
【０００２】
近年のデジタルカメラは、パーソナルコンピュータ（ＰＣ）等と接続することで、撮影した映像データをアクセスポイントを介してＰＣ等に転送する技術が開発されつつある。
【０００３】
通常の無線機器においては、出来る限りの送信動作を維持するため、送信による消費電力が増大し、無線部にて熱が発生する。一方、元々デジタルカメラにおいては、様々な映像信号処理が実施されているため、全体として熱の発生が大きく、また小型で排熱ファン等を設けることが困難である。そのため、無線ＬＡＮカードとデジタルカメラとを混在したときには、無線部で発生した熱は内部に蓄積され易く、ひいてはカメラ自体の内部温度が上昇することになってしまう。上記のような温度上昇の結果、温度に弱いＩＣを利用している場合、処理エラーを誘発しかねない。
【０００４】
このような無線機器における内部動作を制御する例が幾つか提案されている。例えば、特許文献１では、温度上昇カーブや下降カーブに基づいて、送信電力値と外部温度に応じて、動作保証温度にいたる動作時間を求めている。
【先行技術文献】
【特許文献】
【０００５】
【特許文献１】特開２００７−０９６７８２号公報
【発明の概要】
【発明が解決しようとする課題】
【０００６】
特許文献１の技術を行うには、無線通信端末が送信電力をある程度フレキシブルに制御する必要がある。これに対し、現在、デジタルカメラに装着して用いる無線ユニットや無線機能付きのメモリカードが知られている。このような別体のユニットの場合、送信電力をデジタルカメラから制御することに対し、一定の制限がなされていることがある。
【課題を解決するための手段】
【０００７】
上記の課題を解決するために、本発明の撮像装置は、被写体を撮像し、得られた画像データを記録する記録モードと、画像データを再生する再生モードを有する撮像装置であって、無線通信装置と接続する接続手段と、温度を検出する温度センサー手段と、前記撮像装置が前記記録モードであり、かつ前記温度センサーにより検出された値が第１の閾値以上である場合、前記無線通信装置による通信を停止するよう前記無線通信装置を制御するとともに、前記記録モードの間、無線の停止状態を維持するよう前記無線通信装置を制御する制御手段とを有する。
【発明の効果】
【０００８】
本発明によれば、例えば無線通信のオン／オフしか制御できない場合であっても、温度に応じた適切な無線通信の制御を行うことが可能となる。
【図面の簡単な説明】
【０００９】
【図１】本発明を説明するための記録再生装置のブロック図である。
【図２】本発明の第１の実施形態におけるフローチャートの図である。
【図３】本発明の第１の実施形態における温度の変化をあらわすチャートの一例である。
【図４】本発明の第２の実施形態におけるフローチャートの図である。
【図５】本発明の第２の実施形態における温度の変化をあらわすチャートの一例である。
【発明を実施するための形態】
【００１０】
＜第１の実施形態＞
以下に、本発明の具体例を、図面を示しつつ詳細に説明する。図１は、本発明の実施形態にかかわるブロック図である。同図において、１１は図示しないレンズ部を介して入射した光を結像し画像の電気信号に変換する撮像素子、１２は撮像素子１１からの電気信号を処理するアナログ信号処理部である。１３は高速ＡＤ変換器で、アナログ信号処理部１２で処理されたアナログ映像信号をデジタル信号に変換する。１４は、デジタル信号処理回路で、デジタル化された映像データを所定の形式例えばＡＶＣＨＤといったフォーマット形式に変換している。１５はインターフェース（ＩＦ）回路であり、前記デジタル信号処理回路１４で生成されたデータを保存先のメモリの形態に沿うようにデータの書式に変換する。メモリ部１６はＳＳＤといった大容量のメモリで構成され、ＩＦ回路１５と接続している。
【００１１】
一方、１８は温度センサであり、例えば温度に応じて抵抗値が変化し、電圧変化として温度を検出する。１９は第２のＡＤ変換器で、前記の温度センサー１８の出力信号をＡＤ変換して、デジタルデータとして出力する。デジタル化された温度データは、制御ＣＰＵである２０に入力する。制御ＣＰＵは、作業領域としてＲＡＭ２１とプログラムや後述する閾値を格納するＲＯＭ２２と接続している。また、ＩＦ回路１５とも接続している。
【００１２】
１７は液晶パネル等で構成される表示部で、制御ＣＰＵ２０は、記録モード時にて、撮像素子１１からのデータを表示したり、再生モード時にて、メモリ部１６の内容を表示したりする。また、制御ＣＰＵ２０は、図示しないが、様々な回路と接続し、動作を制御している。
【００１３】
２３は無線カードで、制御ＣＰＵ２０と接続しており、制御ＣＰＵ２０は、無線カードへ、無線動作の制御を実施しつつ、ＩＦ回路１５からの撮影データも無線カードに記録している。
【００１４】
ここで、図示しないスイッチをユーザーが操作すると、制御ＣＰＵ２０はスイッチの状態にしたがって、所定の動作モード、例えば被写体を撮像して得られた画像データを記録する記録モードや、画像データを再生モードに遷移する。また、制御ＣＰＵ２０はこの無線カードに対して、無線通信の許可や停止を指令を発行するとともに、現在の通信状態についての応答情報を受け取ることで、表示部１７にて無線カードの制御や通信状態の表示を行う。
【００１５】
さらに、これらの制御以外に映像データの書き込みがあると、図示しないカード内のメモリに映像データを書き込むとともに、通信制御の設定にしたがって、図示しない無線通信部が無線通信を行う。
【００１６】
図２は、図１で温度制限を行うときのフローチャートを示す図である。この図２を示しつつ、温度制限の動作を説明する。
【００１７】
図２において、まず、温度センサからデータを読み取り、温度に換算して本体内部の温度を検出する（Ｓ１０１）。次に、モードの状態を判定する（Ｓ１０２）。記録モードに設定されていると、前記の内部温度を第１の閾値ＴＨ１と比較する（Ｓ１０３）。以後、閾値は、ＲＯＭ２２に格納されていて、これを読み出す。第１の閾値ＴＨ１以下である場合には、動作保証範囲として、そのまま終了する。第１の閾値以上の場合には、動作保証範囲を逸脱するので、無線通信部の動作を停止させる（Ｓ１０４）。なお、この閾値は、動作保証温度を超えないように、実際には動作保証温度を２，３度下まわるように設定する。また、一度無線通信部を停止したあとに、Ｓ１０３に到来すると、何もしないで終了するため、停止状態が維持される。
【００１８】
一方、モードが再生モードの場合、無線通信部が停止に設定されているか否かを判定する（Ｓ１０５）。停止でない場合、内部温度と第２の閾値ＴＨ２と比較し（Ｓ１０６）、閾値ＴＨ２以下ならそのまま終了し、第２の閾値以上なら無線通信を停止する（Ｓ１０７）。また、Ｓ１０４で無線通信部が停止状態なら、そのまま終了する。
【００１９】
ここで、閾値による検出温度の遷移を図３を示しつつ、通信の停止の制御について説明する。
【００２０】
図３では、横軸を時刻、縦軸を温度として表記している。まず、記録動作とともに通信動作を行うと、時刻Ａまでは温度上昇が進む。時刻Ａで検出温度がＴＨ１に到達すると、通信を停止するように無線カードに指示する。続いて記録動作が継続されるが、無線カードの発熱による温度上昇がなくなるため、温度が低下してゆき、時刻Ｂにおいて、温度飽和を迎える。ここで、もし、通信許可の閾値を設けて通信を再開させると、破線Ｙで示すように、時刻Ａまでと同様の温度上昇となり、すぐに通信停止の閾値に至ってしまう。したがって、時刻Ｂの段階でも、通信は再開しない。
【００２１】
次に、時刻Ｃにおいて、一旦電源をＯＦＦするものとする。電源のＯＦＦにより、温度はさらに低下する。次に時刻Ｄにおいて、再生モードにて電源をＯＮするものとする。この場合、通信が許可されて無線通信が実施されるとともに、再生モードでの再生動作が実施される。このとき消費電力は記録モードよりも少ないために、記録モードよりも勾配が小さく温度が上昇する。時刻Ｆにおいて、第２の閾値ＴＨ２にいたると、無線通信が停止され、温度が低下してゆく。そして、時刻Ｇにおいて、温度飽和を迎える。第２の閾値ＴＨ２は、第１の閾値ＴＨ１よりも低い。これは、記録期間における飽和温度と、再生期間における飽和温度の違いを考慮したものである。
【００２２】
本実施形態においては、記録モードにおいて一定以上の温度上昇を検知した後、一旦通信を停止するとともに、その停止状態を維持する。このことにより、消費電力の大きい記録動作において、余計な熱の発生を抑えることができる。
【００２３】
また、通信を停止させるための閾値を記録モードと再生モードとで異なる値で有しているので、再生モード時に適切な通信の停止制御が可能となって、異常動作により発熱している期間を短くすることができる。
【００２４】
なお、本実施形態では温度センサーから検出された値から求めた温度に対して閾値を設定するように説明したが、温度センサーから検出された値そのものを利用して閾値を設定してもかまわない。
【００２５】
＜第２の実施形態＞
本実施形態は、再生モードにおいて２つの閾値を用意する。ブロック図は第１の実施形態と同等なので、説明を省略し、異なる点であるフローチャートについて説明する。
【００２６】
図４において、ステップＳ４０１〜Ｓ４０４までは図２のＳ１０１〜Ｓ１０４と同様であるから、説明を省略する。
【００２７】
ステップＳ４０２において、モードが再生モードと判断された場合、無線通信部が停止に設定されているか否かを判定する（Ｓ４０５）。停止と判断した場合は処理をステップＳ４０８に進め、停止でないと判断した場合は処理をステップＳ４０６に進める。ステップＳ４０６、Ｓ４０７の動作は図１のステップＳ１０６、Ｓ１０７と同様であるから、ここでは説明を省略する。以下、ステップＳ４０８以降の動作について説明する。ステップＳ４０８において、内部温度を第３の閾値ＴＨ３と比較する（Ｓ４０８）。閾値ＴＨ３以上なら、そのまま終了し、閾値ＴＨ３以下なら、無線通信を許可し、通信動作を再開する（Ｓ４０９）。
【００２８】
ここで、閾値ＴＨ２とＴＨ３をそれぞれ異なる値に設定した場合の、検出温度の遷移を図５を示しつつ、通信の停止と許可の制御について説明する。
【００２９】
図５では、横軸を時刻、縦軸を温度として表記している。まず、記録動作とともに通信動作を行うと、時刻Ａまでは温度上昇が進む。時刻Ａで検出温度がＴＨ１に到達すると、通信を停止するよう無線カードに指示する。続いて記録動作が継続されるが、無線カードの発熱による温度上昇がなくなるため、温度が低下してゆき、時刻Ｂにおいて、温度飽和を迎える。ここまでは、図３の場合と同様である。
【００３０】
次に、時刻Ｃにおいて、記録モードから再生モードに移行したものとする。この場合、さらに消費電力が減るので、温度低下が進む。続いて、時刻Ｄにおいて、再生モード時の通信許可の閾値であるＴＨ３に到達すると、通信動作が再開されて、無線カードによる発熱により、温度が上昇する。このＴＨ３は、再生動作だけの発熱による飽和温度よりも高い温度に設定する。時刻Ｅにおいて、通信動作による発熱と再生動作による発熱の和が飽和温度に達する。その後時刻Ｇで、送信するべきファイルを全て送信し終わると、無線カード部の消費電力が低下し、再生動作だけの発熱による温度飽和を迎える。
【００３１】
このようにすることで、記録モードから再生モードに移行した後、ある程度の温度低下が起こった場合に自動的に通信を再開することが可能となる。
【図１】
2011114390.tif 000003
【図２】
2011114390.tif 000004
【図３】
2011114390.tif 000005
【図４】
2011114390.tif 000006
【図５】
2011114390.tif 000007